(57)【要約】【課題】通気性がよく蒸れにくく、また座ったとき等に陰茎が下腹部や内股に直接接することがなく、さらに尿意を覚えたときに速やかに用が足せる男性用パンツを提供する。【解決手段】陰茎を外方へ露出可能とする前開き口１１が形成されたパンツ本体１と、前開き口１１の上方から垂れ下がり、前開き口１１から外方に露出した陰茎を覆うカバー部材２とを備える。カバー部材２には、開口部２４を備えた袋部２３が形成され、この袋部２３に、陰茎の先端部が差し入れ可能としてある。【選択図】図２
0003139793.tif 000002
【実用新案登録請求の範囲】
【請求項１】
陰茎を外方へ露出可能とする前開き口が形成されたパンツ本体と、前開き口の上方から垂れ下がり、前開き口から外方に露出した陰茎を覆うカバー部材とを備えたことを特徴とする男性用パンツ。
【請求項２】
前記カバー部材に、陰茎の先端部を差し入れ可能な開口部を備えた袋部が形成されている請求項１記載の男性用パンツ。
【請求項３】
前記カバー部材が布製であって、その上端部が前記パンツ本体の上縁に取り付けられている請求項１又は２記載の男性用パンツ。
【請求項４】
前記カバー部材の下端部が、前記パンツ本体に対して付け外し自在である請求項１〜３のいずれかに記載の男性用パンツ。
【請求項５】
前記カバー部材が略三角形状又は略四角形状であって、その一辺が前記パンツ本体の上縁に取り付けられている請求項１〜４のいずれかに記載の男性用パンツ。
【請求項６】
臀部を覆う後カバー部材をさらに備えた請求項１〜５のいずれかに記載の男性用パンツ。
【考案の詳細な説明】
【技術分野】
【０００１】
本考案は男性用パンツに関するものである。
【背景技術】
【０００２】
男性用パンツはブリーフ型とトランクス型とに大別できる。ブリーフ型は、身体にフィットして男性局部をほどよく押さつけ、歩行や運動時にも安定して支持するものの、通気性が悪く蒸れることがあった。これに対してトランクス型は、開放的な構造のため通気性がよく、蒸れにくいという利点があるものの、男性局部を支持する部分がないため収まりが悪く、また座ったとき等に男性局部が下腹部や内股に直接接して、発汗する夏場には特に不快となることがあった。
【０００３】
そこで例えば、特許文献１では、トランクス型のパンツにおいて、略三角形のあて布の一辺をパンツ本体内側の上縁に取り付け、この一辺に対向する角部を股部に縫着して、略三角形のあて布で男性局部を包み込むようにし、トランクス型のパンツにブリーフ型のパンツの利点を併せ持つようにしたパンツが提案されている。また特許文献２では、パンツ本体の内側に、挿通口が形成された布片の周縁部を接合し、布片とパンツ本体とで囲まれた内袋内に、陰茎及び陰嚢を挿通口から挿入するようにし、陰茎や陰嚢が下腹部や内股に密着することを防止するパンツが提案されている。
【特許文献１】実用新案登録第３００３８３３号
【特許文献２】特開平９−４１２０１号公報
【考案の開示】
【考案が解決しようとする課題】
【０００４】
ところで、陰嚢内の精巣での精子の造精には体温よりも１度〜２度低い温度が適温であり、陰嚢、精巣の温度が１度上昇するだけで、健康な精子の生産量が最大４０％減少すると言われているところ、パンツによる無理な締め付けは精巣の温度を上げる原因となる。また、中・高年と歳を重ねるにつれ尿意を堪えにくくなる傾向にあり、陰茎をパンツの外へ取り出すのに手間が掛かると失禁するおそれがある。
【０００５】
本考案はこのような従来の問題に鑑みてなされたものであり、その目的とするところは、通気性がよく蒸れにくく、また座ったとき等に陰茎が下腹部や内股に直接接することがなく、さらに尿意を覚えたときに速やかに用が足せる男性用パンツを提供することにある。
【課題を解決するための手段】
【０００６】
本考案によれば、陰茎を外方へ露出可能とする前開き口が形成されたパンツ本体と、前開き口の上方から垂れ下がり、前開き口から外方に露出した陰茎を覆うカバー部材とを備えたことを特徴とする男性用パンツが提供される。
【０００７】
ここで、身体の動きに伴う陰茎の動きを抑える観点から、前記カバー部材に、開口部を備えた袋部を形成し、この袋部に、陰茎の先端部を差し入れ可能としてもよい。
【０００８】
また、利便性や生産性などの観点からは、前記カバー部材として布を用い、布の上端部を前記パンツ本体の上縁に取り付けるようにするのが好ましい。さらには布の下端部を、前記パンツ本体に対して付け外し自在であるようにするのが好ましい。そしたまた、布を略三角形状又は略四角形状とし、その一辺を前記パンツ本体の上縁に取り付けるようにしてもよい。
【０００９】
パンツの意匠性や保温性、クッション性などを向上させる観点から、臀部を覆う後カバー部材をさらに設けてもよい。
【考案の効果】
【００１０】
本考案の男性用パンツでは、パンツ本体の前開き口から外方に露出された陰茎を、前開き口の上方から垂れ下がったカバー部材で覆う構成としたので、通気性がよく蒸れにくく、また座ったとき等に陰茎が下腹部や内股に直接接することがない。さらに、カバー部材を捲り上げるだけで陰茎を露出できるので、排尿のための動作を従来に比べて短時間できるようになる。
【００１１】
また、前記カバー部材に、開口部を備えた袋部を形成し、この袋部に、陰茎の先端部を差し入れ可能とすると、身体の動きに伴う陰茎の動きが抑えられ、激しい運動を行う際にも使用できるようになる。
【００１２】
前記カバー部材として布を用い、布の上端部を前記パンツ本体の上縁に取り付けるようにすると、意匠性が向上すると共に生産性等が向上する。また、布の下端部を、前記パンツ本体に対して付け外し可能とすると、陰茎の動きを適度に抑えることができ、履き心地が向上する。そしたまた、布を略三角形状又は略四角形状とし、その一辺を前記パンツ本体の上縁に取り付けるようにすると、生産性や利便性などが向上する。
【００１３】
また、臀部を覆う後カバー部材をさらに設けると、パンツの意匠性が向上するとともに、保温性やクッション性なども向上する。
【考案を実施するための最良の形態】
【００１４】
以下、本考案に係る男性用パンツ（以下、単に「パンツ」と記すことがある）について図に基づいて説明するが、本考案はこれらの実施形態に何ら限定されるものではない。
【００１５】
図１は本考案に係るパンツの一実施形態を示す斜視図である。図１のパンツは、伸縮性のある素材で作製された太股まである、いわゆるロングボクサーパンツ型のパンツ本体１と、略四角形状のカバー部材２とを備える。カバー部材２は、パンツ本体１の横幅と略同一幅で且つ股下までの長さの四角形状の基体布２１と布片２２（図２に図示）からなり、基体布２１の上辺及び両側辺上部が縫着部３によってパンツ本体１に取り付けられている。
【００１６】
図２は、図１のパンツにおいて、カバー部材２を捲り上げた図である。図２から理解されるように、パンツ本体１には、陰茎を外方へ露出するため涙形状の前開き口１１が形成されている。一方、カバー部材２には、基体布２１の裏面の幅方向略中央部に、パンツ本体１の横幅の略１／３程度の幅の略四角形状の布片２２の周縁が縫着され、基体布２１と布片２２によって袋部２３が形成されている。そして布片２２の、パンツ本体１の前開き口１１と対向する位置には、袋部２３に通ずる略円形状の開口部２４が形成されている。
【００１７】
このような構成のパンツを使用者が着用した状態図を図３に示す。使用者がパンツを履くと、パンツ本体１の前開き口１１から陰茎が外方へ露出する。露出した陰茎の先端部はカバー部材２の開口部２４から袋部２３内へ挿入される。したがって、前開き口１１から露出した陰茎は、前開き口１１を覆っているカバー部材２によって覆われ、外から見えることはない。また、陰茎の先端部を袋部２３内へ挿入することにより、身体の動きに伴う陰茎の動きが抑えられるようになる。
【００１８】
なお、この実施形態では前開き口１１を孔形状としているが、例えば前開き口１１をスリットや２枚の布を重ね合わせた構造としても構わない。また、カバー部材２の布片２２の素材としてメッシュ状のものを用いてもよい。これにより通気性が向上し蒸れが一層抑えられるようになる。さらには、布片２２の、少なくとも陰茎の先端が位置する領域に吸水性や撥水性のある素材を交換可能に取り付けておいてもよい。吸水性や撥水性の素材を取り付けておくことによって、用を足した後に残尿があるときでも、吸収性や撥水性の素材により残尿が効果的に吸収又は撥水され、使用者の不快感やパンツの汚れを抑えることができるようになる。
【００１９】
また、陰茎の先端部を袋部２３に挿入せず、パンツ本体１の前開き口１１から露出させた状態のままとしてもよい。このような状態であっても、カバー部材２が前開き口１１を覆っているので、外から陰茎が見えることはない。
【００２０】
カバー部材２の基体布２１や布片２２（いずれも図２に図示）を立体縫製して、カバー部材２に形成する袋部２３の容積を大きくして、袋部２３内における陰茎の自由度を大きくしてもよい。
【００２１】
パンツ本体１の形状は、ロングボクサーパンツ型に限定されるものではなく、例えば図４に示すようなトランクス型のものや、ブリーフ型のものであってももちろん構わない。また、パンツ本体１の素材としては伸縮性を有するものに限定されるものではなく、従来公知の素材を用いることができる。
【００２２】
図５に、本考案で使用するカバー部材の他の実施形態を示す。この図は、カバー部材を裏面側から見た斜視図である。図２に示す実施形態では、基体布２１と布片２２とによって袋部２３を形成していたが、この図の実施形態では、基本布２１とは別体で袋部２３を形成し、袋部２３の上・下端部を基本布２１の幅方向略中央部に縫着している。袋部には、前記実施形態と同様に、パンツ本体１（図２を参照）の前開き口１１（図２を参照）と対向する位置に開口部２４が形成されている。また袋部２３の上部には上部開口２３１が形成されている。前述のような、袋部２３の内底部に、吸水性や撥水性のある素材を交換可能に取り付ける場合には、この上部開口２３１を利用することにより当該素材の交換が容易となる。基本布２１と袋部２３との材質は同一であってもよいし、異なっていてもよい。
【００２３】
図６は、本考案に係るパンツの他の実施形態を示す正面図である。図６のパンツは、ロングボクサーパンツ型のパンツ本体１に、略三角形状のカバー部材２’の一辺がパンツ本体１の上縁に取り付けられてなる。この図では図示しないが、前記実施形態と同様に、パンツ本体１には前開き口１１（図２に図示）が形成され、カバー部材２’の裏面には開口部２４（図２に図示）が形成されている。そして、略三角形状のカバー部材２’の下頂部と、パンツ本体１の、それに対応する位置に一対の磁石４１が取り付けられている。この一対の磁石４１によって、カバー部材２’の下端部がパンツ本体１に固定され、身体の動きに伴うカバー部材２’の揺れが抑えられるようになる。また、ズボン等を履く際にカバー部材２’が捲り上がることがなく邪魔にならなくなる。さらには性的能力が向上することもある。なお、磁石４１の取り付け位置は、カバー部材２’の揺れを抑えられる位置であれば特に限定はなく、またその取り付け個数にも限定はない。
【００２４】
図７は、本考案に係るパンツのさらに他の実施形態を示す正面図である。図７のパンツは、ロングボクサーパンツ型のパンツ本体１と、略四角形状のカバー部材２とを備え、カバー部材２は、縫着部３によってその上辺及び一方の側辺がパンツ本体２に取り付けられている。このため、この図のパンツではカバー部材２は斜め上方へしか捲り上げられない。また、カバー部材２の、パンツ本体１に縫着されていない側辺の下部と、パンツ本体１の、それに対応する位置に一対の面ファスナ４２ａ，４２ｂが取り付けられている。この一対の面ファスナ４２ａ，４２ｂによって、図６の実施形態と同様に、カバー部材２の下端部がパンツ本体１に固定される。これにより、身体の動きに伴うカバー部材２の揺れが抑えられ、また、ズボン等を履く際にカバー部材２が邪魔となることがなくなる。なお、面ファスナ４２ａ，４２ｂの取り付け位置は、カバー部材２の揺れを抑えられる位置であれば特に限定はなく、またその取り付け個数にも限定はない。
【００２５】
図６及び図７のパンツでは、カバー部材２をパンツ本体１に固定する手段として磁石４１（図６に図示）及び面ファスナ４２ａ，４２ｂ（図７に図示）を用いているが、固定手段はこれらに限定されるものではなく、従来公知の固定手段を用いることができる。
【００２６】
また図８に示すように、臀部を覆う後カバー部材５を本考案のパンツにさらに設けてもよい。このような後カバー部材５を設けることによって、パンツの意匠性が向上するとともに、保温性やクッション性なども向上する。後カバー部材５の形状に特に限定はないが、意匠性の観点からは、カバー部材２（図２に図示）と同形状としてカバー部材２と対をなすようにするのが好ましい。後カバー部材５の材質はカバー部材２（図２に図示）同一であってもよいし、異なっていてもよい。
【図面の簡単な説明】
【００２７】
【図１】本考案に係るパンツの一実施形態を示す正面図である。
【図２】図１のパンツのカバー部材を捲り上げた状態の図である。
【図３】図１のパンツを着用したときの説明図である。
【図４】本考案に係るパンツの他の実施形態を示す正面図である。
【図５】本考案で使用するカバー部材の他の実施形態を示す斜視図である。
【図６】本考案に係るパンツのさらに他の実施形態を示す正面図である。
【図７】本考案に係るパンツの他の実施形態を示す正面図である。
【図８】後カバー部材を設けたパンツの背面図である。
【符号の説明】
【００２８】
１    パンツ本体
２，２’    カバー部材
３    縫着部
５    後カバー部材
１１    前開き口
２１    基体布
２２    布片
２３    袋部
２４    開口部
４１    磁石
４２ａ，４２ｂ    面ファスナ
【図１】
0003139793.tif 000003
【図２】
0003139793.tif 000004
【図３】
0003139793.tif 000005
【図４】
0003139793.tif 000006
【図５】
0003139793.tif 000007
【図６】
0003139793.tif 000008
【図７】
0003139793.tif 000009
【図８】
0003139793.tif 000010